【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
光情報記録媒体に照射したレーザ光の反射光から再生信号を生成するステップと、
前記再生信号に対して、所定のパーシャルレスポンス特性に応じた波形等化処理を実施し、波形等化後再生信号を生成するステップと、
前記波形等化後再生信号から、最短符号のマーク及びスペース、及び５Ｔ（Ｔは基準長）以上の符号のマーク及びスペースの各ピークレベルを、前記符号に隣接する符号条件に無関係に検出するステップと、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号のマークのピークレベルと前記最短符号のスペースのピークレベルとを規格化し、前記最短符号のマークの規格化されたピークレベルと前記最短符号のスペースの規格化されたピークレベルとの中間レベルから、ビタビ復号に用いる複数のターゲットレベルにおける中心レベルの値を決定し、設定する設定ステップと、
を含む、光情報記録媒体の再生のためのターゲットレベル設定方法。
【請求項２】
光情報記録媒体に照射したレーザ光の反射光から再生信号を生成するステップと、
前記再生信号に対して、所定のパーシャルレスポンス特性に応じた波形等化処理を実施し、波形等化後再生信号を生成するステップと、
前記波形等化後再生信号から、最短符号のマーク及びスペース、及び５Ｔ（Ｔは基準長）以上の符号のマーク及びスペースの各ピークレベルを、前記符号に隣接する符号条件に無関係に検出するステップと、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号のマークのピークレベル及び前記最短符号のスペースのピークレベルを規格化し、前記最短符号のマークの規格化されたピークレベル及び前記最短符号のスペースの規格化されたピークレベルから、ビタビ復号に用いる複数のターゲットレベルにおける中心レベルに最も近い１つ上のレベルの値及び１つ下のレベルの値を決定し、設定する設定ステップと、
を含む、光情報記録媒体の再生のためのターゲットレベル設定方法。
【請求項３】
光情報記録媒体に照射したレーザ光の反射光から再生信号を生成するステップと、
前記再生信号に対して、所定のパーシャルレスポンス特性に応じた波形等化処理を実施し、波形等化後再生信号を生成するステップと、
前記波形等化後再生信号から、最短符号の次に短い符号のマーク及びスペース、及び５Ｔ（Ｔは基準長）以上の符号のマーク及びスペースの各ピークレベルを、前記符号に隣接する符号条件に無関係に検出するステップと、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号の次に短い符号のマークのピークレベル及び前記最短符号の次に短い符号のスペースのピークレベルを規格化し、前記最短符号の次に短い符号のマークの規格化されたピークレベル及び前記最短符号の次に短い符号のスペースの規格化されたピークレベルから、ビタビ復号に用いる複数のターゲットレベルにおける中心レベルに２番目に近い上のレベルの値及び２番目に近い下のレベルの値を決定し、設定する設定ステップと、
を含む、光情報記録媒体の再生のためのターゲットレベル設定方法。
【請求項４】
光情報記録媒体に照射したレーザ光の反射光から再生信号を生成するステップと、
前記再生信号に対して、所定のパーシャルレスポンス特性に応じた波形等化処理を実施し、波形等化後再生信号を生成するステップと、
前記波形等化後再生信号から、最短符号の次の次に短い符号のマーク及びスペース、及び５Ｔ（Ｔは基準長）以上の符号のマーク及びスペースの各ピークレベルを、前記符号に隣接する符号条件に無関係に検出するステップと、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号の次の次に短い符号のマークのピークレベル及び前記最短符号の次の次に短い符号のスペースのピークレベルを規格化し、前記最短符号の次の次に短い符号のマークの規格化されたピークレベル及び前記最短符号の次の次に短い符号のスペースの規格化されたピークレベルから、ビタビ復号に用いる複数のターゲットレベルにおける中心レベルに３番目に近い上のレベルの値及び３番目に近い下のレベルの値を決定し、設定する設定ステップと、
を含む、光情報記録媒体の再生のためのターゲットレベル設定方法。
【請求項５】
光情報記録媒体に照射したレーザ光の反射光から再生信号を生成するステップと、
前記再生信号に対して、所定のパーシャルレスポンス特性に応じた波形等化処理を実施し、波形等化後再生信号を生成するステップと、
前記波形等化後再生信号から、最短符号の２倍より長い符号長を有する符号のうち、出現確率が高い上位２つのうち少なくとも一方の符号のマーク及びスペースの各ピークレベルを、前記符号に隣接する符号条件に無関係に検出するステップと、
検出された各前記ピークレベルを、ビタビ復号に用いる複数のターゲットレベルにおける最大レベル及び最小レベルとして設定する設定ステップと、
を含む、光情報記録媒体の再生のためのターゲットレベル設定方法。
【請求項６】
光情報記録媒体に照射したレーザ光の反射光から再生信号を生成するステップと、
前記再生信号に対して、所定のパーシャルレスポンス特性に応じた波形等化処理を実施し、波形等化後再生信号を生成するステップと、
前記波形等化後再生信号から、所定の複数の符号のマーク及びスペースの各ピークレベルを、前記符号に隣接する符号条件に無関係に検出するステップと、
検出された各前記ピークレベルの相対的関係に基づき、ビタビ復号に用いる複数のターゲットレベルの非等間隔な値を決定し、設定する設定ステップと、
を含む、光情報記録媒体の再生のためのターゲットレベル設定方法。
【請求項７】
前記ピークレベルが、同一符号のマーク又はスペースについて前記再生信号の複数のピーク値の平均値である請求項１乃至６のいずれか１つに記載のターゲットレベル設定方法。
【請求項８】
前記ターゲットレベルが、
パーシャルレスポンス（１，２，２，１）特性を用いて復号処理を実施する場合には、０乃至６の７レベルであり、
パーシャルレスポンス（１，２，２，２，１）特性を用いて復号処理を実施する場合には、０乃至８の９レベルである
請求項１乃至６のいずれか１つに記載のターゲットレベル設定方法。
【請求項９】
前記設定ステップが、
前記光情報記録媒体に記録された情報の、ユーザに対する再生前、又は前記光情報記録媒体に記録された一部情報の、ユーザに対する再生後
に実施される請求項１乃至６のいずれか１つに記載のターゲットレベル設定方法。
【請求項１０】
前記設定ステップが、
前記光情報記録媒体に記録された情報の再生中、定期的に実施される
請求項１乃至６のいずれか１つに記載のターゲットレベル設定方法。
【請求項１１】
前記設定ステップが、
前記光情報記録媒体に記録された情報の再生中、信号状態が許容範囲外となった場合に実施される
請求項１乃至６のいずれか１つに記載のターゲットレベル設定方法。
【請求項１２】
前記設定ステップにおいて設定されたレベルの値を、前記光情報記録媒体のＩＤと共に光情報記録媒体の再生機能を有する装置のメモリに登録するステップと、
他の光情報記録媒体から、ＩＤを読み出すステップと、
読み出された前記ＩＤに対応して前記メモリに登録されている前記レベルの値を設定するステップと、
をさらに含む請求項１乃至６のいずれか１つに記載のターゲットレベル設定方法。
【請求項１３】
光情報記録媒体から、ビタビ復号に用い且つ非等間隔に配列されている複数のターゲットレベルの値を読み出すステップと、
前記光情報記録媒体に記録された情報の再生を行う前に、読み出された前記複数のターゲットレベルの値を、前記ビタビ復号を実施する処理部に設定するステップと、
を含む、光情報記録媒体の再生のためのターゲットレベル設定方法。
【請求項１４】
光情報記録媒体に照射したレーザ光の反射光から再生信号を生成する手段と、
前記再生信号に対して、所定のパーシャルレスポンス特性に応じた波形等化処理を実施し、波形等化後再生信号を生成する手段と、、
前記波形等化後再生信号から、最短符号のマーク及びスペース、及び５Ｔ（Ｔは基準長）以上の符号のマーク及びスペースの各ピークレベルを、前記符号に隣接する符号条件に無関係に検出する手段と、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号のマークのピークレベルと前記最短符号のスペースのピークレベルとを規格化し、前記最短符号のマークの規格化されたピークレベルと前記最短符号のスペースの規格化されたピークレベルとの中間レベルから、ビタビ復号に用いる複数のターゲットレベルにおける中心レベルの値を決定し、設定する設定手段と、
を有する光情報記録媒体処理装置。
【請求項１５】
光情報記録媒体に照射したレーザ光の反射光から再生信号を生成する手段と、
前記再生信号に対して、所定のパーシャルレスポンス特性に応じた波形等化処理を実施し、波形等化後再生信号を生成する手段と、
前記波形等化後再生信号から、最短符号のマーク及びスペース、及び５Ｔ（Ｔは基準長）以上の符号のマーク及びスペースの各ピークレベルを、前記符号に隣接する符号条件に無関係に検出する手段と、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号のマークのピークレベル及び前記最短符号のスペースのピークレベルを規格化し、前記最短符号のマークの規格化されたピークレベル及び前記最短符号のスペースの規格化されたピークレベルから、ビタビ復号に用いる複数のターゲットレベルにおける中心レベルに最も近い１つ上のレベルの値及び１つ下のレベルの値を決定し、設定する設定手段と、
を有する光情報記録媒体処理装置。
【請求項１６】
光情報記録媒体に照射したレーザ光の反射光から再生信号を生成する手段と、
前記再生信号に対して、所定のパーシャルレスポンス特性に応じた波形等化処理を実施し、波形等化後再生信号を生成する手段と、
前記波形等化後再生信号から、最短符号の次に短い符号のマーク及びスペース、及び５Ｔ（Ｔは基準長）以上の符号のマーク及びスペースの各ピークレベルを、前記符号に隣接する符号条件に無関係に検出する手段と、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号の次に短い符号のマークのピークレベル及び前記最短符号の次に短い符号のスペースのピークレベルを規格化し、前記最短符号の次に短い符号のマークの規格化されたピークレベル及び前記最短符号の次に短い符号のスペースの規格化されたピークレベルから、ビタビ復号に用いる複数のターゲットレベルにおける中心レベルに２番目に近い上のレベルの値及び２番目に近い下のレベルの値を決定し、設定する設定手段と、
を有する光情報記録媒体処理装置。
【請求項１７】
光情報記録媒体に照射したレーザ光の反射光から再生信号を生成する手段と、
前記再生信号に対して、所定のパーシャルレスポンス特性に応じた波形等化処理を実施し、波形等化後再生信号を生成する手段と、
前記波形等化後再生信号から、最短符号の次の次に短い符号のマーク及びスペース、及び５Ｔ（Ｔは基準長）以上の符号のマーク及びスペースの各ピークレベルを、前記符号に隣接する符号条件に無関係に検出する手段と、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号の次の次に短い符号のマークのピークレベル及び前記最短符号の次の次に短い符号のスペースのピークレベルを規格化し、前記最短符号の次の次に短い符号のマークの規格化されたピークレベル及び前記最短符号の次の次に短い符号のスペースの規格化されたピークレベルから、ビタビ復号に用いる複数のターゲットレベルにおける中心レベルに３番目に近い上のレベルの値及び３番目に近い下のレベルの値を決定し、設定する設定手段と、
を有する光情報記録媒体処理装置。
【請求項１８】
光情報記録媒体に照射したレーザ光の反射光から再生信号を生成する手段と、
前記再生信号に対して、所定のパーシャルレスポンス特性に応じた波形等化処理を実施し、波形等化後再生信号を生成する手段と、
前記波形等化後再生信号から、最短符号の２倍より長い符号長を有する符号のうち、出現確率が高い上位２つのうち少なくとも一方の符号のマーク及びスペースの各ピークレベルを、前記符号に隣接する符号条件に無関係に検出する手段と、
検出された各前記ピークレベルを、ビタビ復号に用いる複数のターゲットレベルにおける最大レベル及び最小レベルとして設定する設定手段と、
を有する光情報記録媒体処理装置。
【請求項１９】
光情報記録媒体に照射したレーザ光の反射光から再生信号を生成する手段と、
前記再生信号に対して、所定のパーシャルレスポンス特性に応じた波形等化処理を実施し、波形等化後再生信号を生成する手段と、
前記波形等化後再生信号から、所定の複数の符号のマーク及びスペースの各ピークレベルを、前記符号に隣接する符号条件に無関係に検出する手段と、
検出された各前記ピークレベルの相対的関係に基づき、ビタビ復号に用いる複数のターゲットレベルの非等間隔な値を決定し、設定する設定手段と、
を有する光情報記録媒体処理装置。
【請求項２０】
前記ピークレベルが、同一符号のマーク又はスペースについて前記再生信号の複数のピーク値の平均値である請求項１４乃至１９のいずれか１つに記載の光情報記録媒体処理装置。
【請求項２１】
前記ターゲットレベルが、
パーシャルレスポンス（１，２，２，１）特性を用いて復号処理を実施する場合には、０乃至６の７レベルであり、
パーシャルレスポンス（１，２，２，２，１）特性を用いて復号処理を実施する場合には、０乃至８の９レベルである
請求項１４乃至１９のいずれか１つに記載の光情報記録媒体処理装置。
【請求項２２】
前記設定手段が、
前記光情報記録媒体に記録された情報の、ユーザに対する再生前、又は前記光情報記録媒体に記録された一部情報の、ユーザに対する再生後
に動作する請求項１４乃至１９のいずれか１つに記載の光情報記録媒体処理装置。
【請求項２３】
前記設定手段が、
前記光情報記録媒体に記録された情報の再生中、定期的に動作する
請求項１４乃至１９のいずれか１つに記載の光情報記録媒体処理装置。
【請求項２４】
前記設定手段が、
前記光情報記録媒体に記録された情報の再生中、信号状態が許容範囲外となった場合に動作する
請求項１４乃至１９のいずれか１つに記載の光情報記録媒体処理装置。
【請求項２５】
前記設定手段によって設定されたレベルの値を、前記光情報記録媒体のＩＤと共に光情報記録媒体処理装置のメモリに登録する手段と、
他の光情報記録媒体からＩＤを読み出し、読み出された前記ＩＤに対応して前記メモリに登録されている前記レベルの値を設定する手段と、
をさらに有する請求項１４乃至１９のいずれか１つに記載の光情報記録媒体処理装置。
【請求項２６】
光情報記録媒体から、ビタビ復号に用いる複数のターゲットレベルの値を読み出す手段と、
前記光情報記録媒体に記録された情報の再生を行う前に、読み出された前記複数のターゲットレベルの値を、前記ビタビ復号を実施する処理部に設定する手段と、
を有する光情報記録媒体処理装置。  
【請求項２７】
光情報記録媒体に照射したレーザ光の反射光から生成された再生信号に対して、所定のパーシャルレスポンス特性に応じた波形等化処理を実施することによって生成された波形等化後再生信号から、最短符号のマーク及びスペース、及び５Ｔ（Ｔは基準長）以上の符号のマーク及びスペースの各ピークレベルを、前記符号に隣接する符号条件に無関係に検出させるステップと、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号のマークのピークレベルと前記最短符号のスペースのピークレベルとを規格化し、前記最短符号のマークの規格化されたピークレベルと前記最短符号のスペースの規格化されたピークレベルとの中間レベルから、ビタビ復号に用いる複数のターゲットレベルにおける中心レベルの値を決定し、設定する設定ステップと、
を、プロセッサに実行させるためのターゲットレベル設定プログラム。
【請求項２８】
光情報記録媒体に照射したレーザ光の反射光から生成された再生信号に対して、所定のパーシャルレスポンス特性に応じた波形等化処理を実施することによって生成された波形等化後再生信号から、最短符号のマーク及びスペース、及び５Ｔ（Ｔは基準長）以上の符号のマーク及びスペースの各ピークレベルを、前記符号に隣接する符号条件に無関係に検出させるステップと、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号のマークのピークレベル及び前記最短符号のスペースのピークレベルを規格化し、前記最短符号のマークの規格化されたピークレベル及び前記最短符号のスペースの規格化されたピークレベルから、ビタビ復号に用いる複数のターゲットレベルにおける中心レベルに最も近い１つ上のレベルの値及び１つ下のレベルの値を決定し、設定する設定ステップと、
を、プロセッサに実行させるためのターゲットレベル設定プログラム。
【請求項２９】
光情報記録媒体に照射したレーザ光の反射光から生成された再生信号に対して、所定のパーシャルレスポンス特性に応じた波形等化処理を実施することによって生成された波形等化後再生信号から、最短符号の次に短い符号のマーク及びスペース、及び５Ｔ（Ｔは基準長）以上の符号のマーク及びスペースの各ピークレベルを、前記符号に隣接する符号条件に無関係に検出させるステップと、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号の次に短い符号のマークのピークレベル及び前記最短符号の次に短い符号のスペースのピークレベルを規格化し、前記最短符号の次に短い符号のマークの規格化されたピークレベル及び前記最短符号の次に短い符号のスペースの規格化されたピークレベルから、ビタビ復号に用いる複数のターゲットレベルにおける中心レベルに２番目に近い上のレベルの値及び２番目に近い下のレベルの値を決定し、設定する設定ステップと、
を、プロセッサに実行させるためのターゲットレベル設定プログラム。
【請求項３０】
光情報記録媒体に照射したレーザ光の反射光から生成された再生信号に対して、所定のパーシャルレスポンス特性に応じた波形等化処理を実施することによって生成された波形等化後再生信号から、最短符号の次の次に短い符号のマーク及びスペース、及び５Ｔ（Ｔは基準長）以上の符号のマーク及びスペースの各ピークレベルを、前記符号に隣接する符号条件に無関係に検出させるステップと、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号の次の次に短い符号のマークのピークレベル及び前記最短符号の次の次に短い符号のスペースのピークレベルを規格化し、前記最短符号の次の次に短い符号のマークの規格化されたピークレベル及び前記最短符号の次の次に短い符号のスペースの規格化されたピークレベルから、ビタビ復号に用いる複数のターゲットレベルにおける中心レベルに３番目に近い上のレベルの値及び３番目に近い下のレベルの値を決定し、設定する設定ステップと、
を、プロセッサに実行させるためのターゲットレベル設定プログラム。
【請求項３１】
光情報記録媒体に照射したレーザ光の反射光から生成された再生信号に対して、所定のパーシャルレスポンス特性に応じた波形等化処理を実施することによって生成された波形等化後再生信号から、最短符号の２倍より長い符号長を有する符号のうち、出現確率が高い上位２つのうち少なくとも一方の符号のマーク及びスペースの各ピークレベルを、前記符号に隣接する符号条件に無関係に検出させるステップと、
検出された各前記ピークレベルを、ビタビ復号に用いる複数のターゲットレベルにおける最大レベル及び最小レベルとして設定する設定ステップと、
を、プロセッサに実行させるためのターゲットレベル設定プログラム。
【請求項３２】
光情報記録媒体に照射したレーザ光の反射光から生成された再生信号に対して、所定のパーシャルレスポンス特性に応じた波形等化処理を実施することによって生成された波形等化後再生信号から、所定の複数の符号のマーク及びスペースの各ピークレベルを、前記符号に隣接する符号条件に無関係に検出させるステップと、
検出された各前記ピークレベルの相対的関係に基づき、ビタビ復号に用いる複数のターゲットレベルの非等間隔な値を決定し、設定する設定ステップと、
を、プロセッサに実行させるためのターゲットレベル設定プログラム。
【請求項３３】
光情報記録媒体から、ビタビ復号に用いる複数のターゲットレベルの値を読み出すステップと、
前記光情報記録媒体に記録された情報の再生を行う前に、読み出された前記複数のターゲットレベルの値を、前記ビタビ復号を実施する処理部に設定するステップと、
を、プロセッサに実行させるためのターゲットレベル設定プログラム。
【請求項３４】
請求項２７乃至３３のいずれか１つに記載のターゲットレベル設定プログラムを格納したメモリを有するプロセッサ。